(57)【要約】【課題】かつらベース及びかつらにおいて、かつらベースの凹凸形状の周縁部分のめくれ上がりを防止する。【解決手段】かつらベース１は、毛髪３が植毛されるベース本体２ａと、このベース本体２ａの周縁に沿って設けられ、毛髪３が植毛される第１の縁部材２ｂ及び第２の縁部材２ｃと、を備え、第１の縁部材２ｂ及び第２の縁部材２ｃは、上記周縁のうち互いに同一の領域に沿って設けられ、上記周縁からベース本体２ａの外側に突出し、第１の縁部材２ｂ及び第２の縁部材２ｃのうちの少なくとも一方（２ｂ）は、上記周縁からベース本体２ａの外側に凹凸形状に突出する。【選択図】図１
2014001481.tif 000002
【特許請求の範囲】
【請求項１】
毛髪が植毛されるベース本体と、
前記ベース本体の周縁に沿って設けられ、毛髪が植毛される第１の縁部材及び第２の縁部材と、を備え、
前記第１の縁部材及び前記第２の縁部材は、前記周縁のうち互いに同一の領域に沿って設けられ、前記周縁から前記ベース本体の外側に突出し、
前記第１の縁部材及び前記第２の縁部材のうちの少なくとも一方は、前記周縁から前記ベース本体の外側に凹凸形状に突出する、
ことを特徴とするかつらベース。
【請求項２】
前記凹凸形状は、線状部材のループが前記周縁に沿って複数設けられることで形成されることを特徴とする請求項１記載のかつらベース。
【請求項３】
前記第２の縁部材の一部は、前記第１の縁部材に被さるように位置することを特徴とする請求項１又は請求項２記載のかつらベース。
【請求項４】
前記第１の縁部材及び前記第２の縁部材のうち前記第１の縁部材のみが、前記周縁から前記ベース本体の外側に凹凸形状に突出し、
前記第２の縁部材は、前記周縁に沿って延びる帯状を呈する、
ことを特徴とする請求項３記載のかつらベース。
【請求項５】
前記第１の縁部材及び前記第２の縁部材の両方が、前記周縁から前記ベース本体の外側に凹凸形状に突出し、
前記第１の縁部材の前記周縁から突出する凸部と、前記第２の縁部材の前記周縁から突出する凸部とは、前記周縁に沿って交互に位置する、
ことを特徴とする請求項１から請求項３のいずれか１項記載のかつらベース。
【請求項６】
前記第１の縁部材及び前記第２の縁部材の両方が、前記周縁から前記ベース本体の外側に凹凸形状に突出し、
前記第１の縁部材の前記周縁から突出する前記ループ及び前記第２の縁部材の前記周縁から突出する前記ループのうち一方のループは、他方のループの内側に位置する、
ことを特徴とする請求項２記載のかつらベース。
【請求項７】
前記第１の縁部材及び前記第２の縁部材のうち少なくとも一方は、前記周縁から突出する凸部が頭皮側に湾曲していることを特徴とする請求項１から請求項６のいずれか１項記載のかつらベース。
【請求項８】
請求項１から請求項７のいずれか１項記載のかつらベースと、
前記ベース本体と前記第１の縁部材と第２の縁部材とに植毛された毛髪と、
を備えることを特徴とするかつら。
【発明の詳細な説明】
【技術分野】
【０００１】
本発明は、人工毛又は人毛である毛髪を植毛されるかつらベース、及び、このかつらベースを備えるかつらに関する。
【背景技術】
【０００２】
従来、かつらベースを視認されにくくするため、かつらベースの周縁を直線状ではなくギザギザの凹凸部に形成したかつらベースが提案されている（特許文献１参照）。この特許文献１記載のかつらベースでは、凹凸部に毛髪が植毛される。
【０００３】
なお、頭皮に残った自毛を取り付けるためのものではあるが、リング状の残毛係留部を設けたかつらベースも提案されている（特許文献２参照）。
【０００４】
また、かつらベースの周縁ではなく、自毛を引き出すための開口部の端部に形成された凹凸部ではあるが、開口部を目立ちにくくし且つかつらベースをずれにくくするため、輪状に形成され、毛髪を植毛される凹凸部が提案されている（特許文献３参照）。
【先行技術文献】
【特許文献】
【０００５】
【特許文献１】実開昭６２−１１４０１８号公報
【特許文献２】特開平５−２３０７０５号公報
【特許文献３】特開２００８−１４４３０６号公報
【発明の概要】
【発明が解決しようとする課題】
【０００６】
図９Ａ及び図９Ｂは、参考技術に係るかつら４１の一部を模式的に示す斜視図である。
【０００７】
図９Ａに示すように、かつら４１は、かつらベース４２と、毛髪４３とを備える。
【０００８】
かつらベース４２は、ベース本体４２ａと、縁部材４２ｂとを含む。
【０００９】
ベース本体４２ａ及び縁部材４２ｂには、毛髪４３が植毛される。
【００１０】
縁部材４２ｂは、ベース本体４２ａの周縁に沿って設けられ、この周縁からベース本体４２ａの外側に凹凸形状に突出する。この凹凸形状は、線状部材のループがベース本体４２ａの周縁に沿って複数設けられることで形成される。
【００１１】
かつらベース４２は、例えば、縁部材４２ｂが装着者の自毛の上に位置するように配置されるが、図９Ｂに示すように、ブラシ等を用いて自毛と毛髪４３とを混ぜ合わせる際などに、縁部材４２ｂがめくれ上がってしまう。このように縁部材４２ｂがめくれ上がると、かつらベース４２の周縁が視認されやすくなるという問題がある。
【００１２】
縁部材４２ｂのめくれ上がりは、縁部材４２ｂが装着者の生え際の外側に位置する場合でも、生じる問題である。
【００１３】
また、縁部材４２ｂのめくれ上がりは、上記特許文献１記載のかつらベースにおいても同様にあてはまる問題である。
【００１４】
なお、凹凸形状の周縁に剛性をもたせた場合には、周縁が硬くなり、凹凸形状の凸部分が頭皮に接触することで装着感が悪くなるなどの問題が新たに生じる。
【００１５】
本発明の目的は、かつらベースの凹凸形状の周縁部分のめくれ上がりを防止することができるかつらベース及びかつらを提供することである。
【課題を解決するための手段】
【００１６】
本発明のかつらベースは、毛髪が植毛されるベース本体と、上記ベース本体の周縁に沿って設けられ、毛髪が植毛される第１の縁部材及び第２の縁部材と、を備え、上記第１の縁部材及び上記第２の縁部材は、上記周縁のうち互いに同一の領域に沿って設けられ、上記周縁から上記ベース本体の外側に突出し、上記第１の縁部材及び上記第２の縁部材のうちの少なくとも一方は、上記周縁から上記ベース本体の外側に凹凸形状に突出する。
【００１７】
また、上記かつらベースにおいて、上記凹凸形状は、線状部材のループが上記周縁に沿って複数設けられることで形成されるとよい。
【００１８】
また、上記かつらベースにおいて、上記第２の縁部材の一部は、上記第１の縁部材に被さるように位置するとよい。
【００１９】
また、上記かつらベースにおいて、上記第１の縁部材及び上記第２の縁部材のうち上記第１の縁部材のみが、上記周縁から上記ベース本体の外側に凹凸形状に突出し、上記第２の縁部材は、上記周縁に沿って延びる帯状を呈するとよい。
【００２０】
また、上記かつらベースにおいて、上記第１の縁部材及び上記第２の縁部材の両方が、上記周縁から上記ベース本体の外側に凹凸形状に突出し、上記第１の縁部材の上記周縁から突出する凸部と、上記第２の縁部材の上記周縁から突出する凸部とは、上記周縁に沿って交互に位置するとよい。
【００２１】
また、上記かつらベースにおいて、上記第１の縁部材及び上記第２の縁部材の両方が、上記周縁から上記ベース本体の外側に凹凸形状に突出し、上記第１の縁部材の上記周縁から突出する上記ループ及び上記第２の縁部材の上記周縁から突出する上記ループのうち一方のループは、他方のループの内側に位置するとよい。
【００２２】
また、上記かつらベースにおいて、上記第１の縁部材及び上記第２の縁部材のうち少なくとも一方は、前記周縁から突出する凸部が頭皮側に湾曲しているとよい。
【００２３】
本発明のかつらは、上記かつらベースと、上記ベース本体と上記第１の縁部材と第２の縁部材とに植毛された毛髪と、を備える。
【発明の効果】
【００２４】
本発明によれば、かつらベースの凹凸形状の周縁部分のめくれ上がりを防止することができる。
【図面の簡単な説明】
【００２５】
【図１】本発明の第１の実施の形態に係るかつらの一部を模式的に示す斜視図である。
【図２】本発明の第１の実施の形態における第１の縁部材及び第２の縁部材を示す説明図である。
【図３】本発明の第１の実施の形態の変形例に係るかつらベースを示す説明図である。
【図４】本発明の第２の実施の形態に係るかつらの一部を模式的に示す斜視図である。
【図５Ａ】本発明の第２の実施の形態における第１の縁部材及び第２の縁部材を示す説明図（その１）である。
【図５Ｂ】本発明の第２の実施の形態における第１の縁部材及び第２の縁部材を示す説明図（その２）である。
【図５Ｃ】本発明の第２の実施の形態における第１の縁部材及び第２の縁部材を示す説明図（その３）である。
【図６】本発明の第３の実施の形態に係るかつらの一部を模式的に示す斜視図である。
【図７】本発明の第３の実施の形態における第１の縁部材及び第２の縁部材を、装着者の頭皮の法線方向から見た図である。
【図８Ａ】本発明の第３の実施の形態における第１の縁部材及び第２の縁部材を示す説明図（その１）である。
【図８Ｂ】本発明の第３の実施の形態における第１の縁部材及び第２の縁部材を示す説明図（その２）である。
【図８Ｃ】本発明の第３の実施の形態における第１の縁部材及び第２の縁部材を示す説明図（その３）である。
【図９Ａ】参考技術に係るかつらの一部を模式的に示す斜視図（その１）である。
【図９Ｂ】参考技術に係るかつらの一部を模式的に示す斜視図（その２）である。
【発明を実施するための形態】
【００２６】
以下、本発明の第１〜第３の実施の形態に係るかつらベース及びかつらについて、図面を参照しながら説明する。
＜第１の実施の形態＞
図１は、本発明の第１の実施の形態に係るかつら１の一部を模式的に示す斜視図である。
【００２７】
図２は、本実施の形態における第１の縁部材２ｂ及び第２の縁部材２ｃを示す説明図である。
【００２８】
図１に示すかつら１は、かつらベース２と、毛髪３（図１では、便宜上３本のみの図示）とを備える。
【００２９】
かつらベース２は、ベース本体２ａと、このベース本体２ａに取り付けられた第１の縁部材２ｂ及び第２の縁部材２ｃと、を含む。
【００３０】
ベース本体２ａ、第１の縁部材２ｂ、及び第２の縁部材２ｃには、毛髪３が植毛される。
【００３１】
ベース本体２ａは、例えば、ネット状又はシート状を呈する。
【００３２】
第１の縁部材２ｂ及び第２の縁部材２ｃは、ベース本体２ａの周縁のうち互いに同一の領域に沿って設けられ、この周縁からベース本体２ａの外側に突出する。
【００３３】
第１の縁部材２ｂは、ベース本体２ａの周縁からベース本体２ａの外側に凹凸形状に突出する。この凹凸形状は、線状部材のループが上記周縁に沿って複数設けられることで形成される。本実施の形態の第１の縁部材２ｂは、ループが周縁に沿って連続して設けられ、ベース本体２ａの周縁からＶ字状又はＵ字状に突出する。なお、線状部材の一例としては、テグス、レース地の一部、プラスチックの線材、金属の線材などが挙げられる。第１の縁部材２ｂとしては、ループが連続して設けられることで凹凸形状に突出するものに限られず、例えば、ネット状、シート状などの面状（例えば、ベース本体２ａの周縁に沿って延びる帯状）を呈し、この面の端部が凹凸形状に形成されることで、ベース本体２ａの周縁から凹凸形状に突出するものであってもよい。なお、シート状の第１の縁部材２ｂの一例としては、ポリウレタンシートなどの樹脂シートが挙げられる。
【００３４】
第２の縁部材２ｃは、ベース本体２ａの周縁に沿って延びる帯状を呈し、この周縁からベース本体２ａの外側に突出するが、本実施の形態では凹凸形状には突出しない。また、第２の縁部材２ｃの一部である、周縁からの突出部分は、第１の縁部材２ｂに被さるように位置する。
【００３５】
第２の縁部材２ｃは、例えば、ネット状又はシート状を呈するため、ベース本体２ａと同一の部材（例えば、同一の材料で且つ同一の網目形状）であってもよい。なお、シート状の第２の縁部材２ｃの一例としては、上記のシート状の第１の縁部材２ｂと同様に、ポリウレタンシートなどの樹脂シートが挙げられる。
【００３６】
第１の縁部材２ｂ及び第２の縁部材２ｃは、ベース本体２ａの周縁のうち少なくとも一部に設けられている。第１の縁部材２ｂが設けられている領域と、第２の縁部材２ｃが設けられている領域とは、一部が重複していればよく、完全に一致する必要はない。
【００３７】
第１の縁部材２ｂ及び第２の縁部材２ｃは、ベース本体２ａの裏側（装着者の頭皮側）に位置しても、表側（すなわち、頭皮側と反対側）に位置してもよい。また、第１の縁部材２ｂ及び第２の縁部材２ｃは、縫着や接着などでベース本体２ａに固定されるとよいが、固定手段は特に限定されない。本実施の形態では、第１の縁部材２ｂ及び第２の縁部材２ｃは、同時にベース本体２ａに固定されている。なお、第１の縁部材２ｂが第２の縁部材２ｃに固定され、この第２の縁部材２ｃがベース本体２ａに固定されることで、第１の縁部材２ｂがベース本体２ａに間接的に固定されるようにしてもよい。
【００３８】
第１の縁部材２ｂ及び第２の縁部材２ｃは、例えば、装着者の自毛の上に位置するように配置される。この場合には、第１の縁部材２ｂ及び第２の縁部材２ｃに植毛された毛髪３は、自毛と混在するように位置することになる。
【００３９】
図２に示すように、第１の縁部材２ｂは、突出方向の先端部分と、反対側の他端部分とをギザギザに往復する線状部材により構成されている。第１の縁部材２ｂは、例えば、上記他端部分の第１の止着部２ｄにおいて、第２の縁部材２ｃとともにベース本体２ａに縫い付けられている。
【００４０】
また、第１の縁部材２ｂは、上記第１の止着部２ｄ以外の部分においても、例えば、ベース本体２ａの周縁と平行な線状の第２の止着部２ｅにおいて、第２の縁部材２ｃとともにベース本体２ａに縫い付けられている。ここで、第１の縁部材２ｂの上記ループは、第２の縁部材２ｃからの突出部分である。
【００４１】
なお、第１の縁部材２ｂの各ループは、共通のベース部分に設けられていてもよい。この場合には、ベース部分のみをベース本体２ａや第２の縁部材２ｃに固定すればよい。
【００４２】
第１の縁部材２ｂの凸部間の間隔である長さＬ１は、第１の縁部材２ｂの第２の縁部材２ｃからの突出長さである長さＬ２よりも長い。長さＬ１の一例は、８ｍｍであり、長さＬ２の一例は３ｍｍである。なお、第２の縁部材２ｃの突出方向の先端部分と上記第１の止着部２ｄとの間隔である長さＬ３や、第２の縁部材２ｃの突出方向とは反対側の他端部分と第１の止着部２ｄとの間隔である長さＬ４も、例えば、長さＬ２と同様に３ｍｍである。
【００４３】
図３に示すように、かつらベース２では、第１の縁部材２ｂは、この第１の縁部材２ｂに一部が被さるように位置する第２の縁部材２ｃよりも、ベース本体２ａの周縁からの突出量が大きくなるようにするとよい。
【００４４】
これは、同一の領域に位置する縁部材を３つ以上配置する場合でも同様であり、例えば、第２の縁部材２ｃに一部が被さるように位置する第３の縁部材２ｆを設けるときには、第２の縁部材２ｃは、第３の縁部材２ｆよりもベース本体２ａからの突出量が大きくなるようにするとよい。
【００４５】
更には、縁部材の少なくとも一つの一例である第１の縁部材２ｂの凸部は、図３に示すように、装着者の頭皮側（かつらベース２の裏側）に湾曲するように例えば成形されているとよい。
【００４６】
以上説明した本実施の形態のかつら１及びかつらベース２では、第１の縁部材２ｂ及び第２の縁部材２ｃは、ベース本体２ａの周縁のうち互いに同一の領域に沿って設けられ、上記周縁からベース本体２ａの外側に突出する。また、第１の縁部材２ｂ（第１の縁部材２ｂ及び第２の縁部材２ｃのうちの少なくとも一方の一例）は、上記周縁からベース本体２ａの外側に凹凸形状に突出する。
【００４７】
そのため、第２の縁部材２ｃ又はこの第２の縁部材２ｃに植毛された毛髪３は、第１の縁部材２ｂ又はこの第１の縁部材２ｂに植毛された毛髪３を押さえつけることで、第１の縁部材２ｂの反り返りを防止することができる。よって、本実施の形態によれば、かつらベース２の第１の縁部材２ｂ（凹凸形状の周縁部分の一例）のめくれ上がりを防止することができる。これにより、かつらベース２を視認させにくくすることができる。
【００４８】
また、第１の縁部材２ｂ及び第２の縁部材２ｃが、装着者の自毛の上に位置するように配置される場合には、第１の縁部材２ｂ及び第２の縁部材２ｃに植毛された毛髪３を、自毛と混在して識別しにくくすることができる。そのため、この場合には、かつらベース２をより一層視認させにくくすることができる。
【００４９】
また、本実施の形態では、第１の縁部材２ｂがベース本体２ａの周縁から突出する形状である凹凸形状は、線状部材のループが上記周縁に沿って複数設けられることで形成されている。そのため、例えばネット状の縁部材が凹凸形状に突出する場合と比較して、端部のほつれ防止のための縫製止めや溶着止めなどの非常に困難な作業を省略して製造効率を高めることができる。また、例えばシート状の縁部材が凹凸形状に突出する場合と比較して、耐久性を向上させることができる。
【００５０】
また、本実施の形態では、第２の縁部材２ｃの一部は、第１の縁部材２ｂに被さるように位置する。そのため、第２の縁部材２ｃが直接的に第１の縁部材２ｂを押さえつけることで、第１の縁部材２ｂの反り返りを防止することができるため、より一層、かつらベース２の第１の縁部材２ｂ（凹凸形状の周縁部分の一例）のめくれ上がりを防止することができる。
【００５１】
また、本実施の形態では、第１の縁部材２ｂ及び第２の縁部材２ｃのうちの一方の一例である第１の縁部材２ｂのみが、上記周縁からベース本体２ａの外側に凹凸形状に突出し、第２の縁部材２ｃは、上記周縁に沿って延びる帯状を呈する。そのため、第２の縁部材２ｃが第１の縁部材２ｂを確実に押さえつけることで、第１の縁部材２ｂの反り返りを防止することができる。したがって、より一層、かつらベース２の第１の縁部材２ｂ（凹凸形状の周縁部分の一例）のめくれ上がりを防止することができる。
【００５２】
また、本実施の形態では、第２の縁部材２ｃは、ネット状又はシート状で、且つ帯状を呈する。そのため、第２の縁部材２ｃに対する植毛領域を増やすことで毛量を増やしたり毛量バランスのばらつきを抑えたりすることができ、したがって、かつらベース２をより一層視認させにくくすることができる。
【００５３】
また、本実施の形態では、第１の縁部材２ｂの上記周縁から突出する凸部及び第２の縁部材２ｃの上記周縁から突出する凸部のうち少なくとも一方の一例である第１の縁部材２ｂの凸部は、頭皮側に湾曲している。そのため、より一層、かつらベース２の第１の縁部材２ｂ（凹凸形状の周縁部分の一例）のめくれ上がりを防止することができる。
＜第２の実施の形態＞
本実施の形態では、第１の縁部材１２ｂ及び第２の縁部材１２ｃの両方が、ベース本体１２ａの周縁からベース本体１２ａの外側に凹凸形状に突出する点、及び、第１の縁部材１２ｂの上記周縁から突出する凸部と、第２の縁部材１２ｃの上記周縁から突出する凸部とが、上記周縁に沿って交互に位置する点において、上述の第１の実施の形態と主に相違する。共通点の説明については省略する。
【００５４】
図４は、本発明の第２の実施の形態に係るかつら１１の一部を模式的に示す斜視図である。
【００５５】
図５Ａ〜図５Ｃは、本実施の形態における第１の縁部材１２ｂ及び第２の縁部材１２ｃを示す説明図である。
【００５６】
図４に示すかつら１１は、かつらベース１２と、毛髪１３とを備える。
【００５７】
かつらベース１２は、ベース本体１２ａと、このベース本体１２ａに取り付けられた第１の縁部材１２ｂ及び第２の縁部材１２ｃと、を含む。
【００５８】
第１の縁部材１２ｂ及び第２の縁部材１２ｃの両方は、ベース本体１２ａの周縁からベース本体１２ａの外側に凹凸形状に突出する。この凹凸形状は、線状部材のループが上記周縁に沿って複数設けられることで形成される。
【００５９】
本実施の形態の第１の縁部材１２ｂ及び第２の縁部材１２ｃは、ループが上記周縁に沿って連続して設けられ、ベース本体１２ａの周縁からＶ字状又はＵ字状に突出する。
【００６０】
また、第１の縁部材１２ｂのベース本体１２ａの周縁から突出する凸部と、第２の縁部材１２ｃのベース本体１２ａの周縁から突出する凸部とは、ベース本体１２ａの周縁に沿って交互に位置する。そして、第２の縁部材１２ｃの一部は、第１の縁部材１２ｂに被さるように位置する。
【００６１】
第１の縁部材１２ｂ及び第２の縁部材１２ｃは、突出方向の先端部分と、反対側の他端部分とをギザギザに往復する線状部材により構成されている。本実施の形態の第１の縁部材１２ｂ及び第２の縁部材１２ｃの上記ループは、ベース本体１２ａからの突出部分である。
【００６２】
なお、第１の縁部材１２ｂ及び第２の縁部材１２ｃは、例えば、ネット状、シート状などの面状を呈し、この面の端部が凹凸形状に形成されることで、ベース本体１２ａの周縁から凹凸形状に突出するものであってもよい。この場合でも、第１の縁部材１２ｂの凸部と第２の縁部材１２ｃの凸部とが、ベース本体１２ａの周縁に沿って交互に位置するとよい。
【００６３】
図５Ａに示すように、第１の縁部材１２ｂ及び第２の縁部材１２ｃに植毛された毛髪１３は、線状部材に対して垂直に向く傾向がある（図５の左側の図の破線矢印参照）。そのため、図５Ｂに示すように、毛髪１３は、凸部側（図５Ｂの「疎」）よりも、凸部の谷間である凹部側（図５Ｂの「密」）に集中する。
【００６４】
そのため、本実施の形態では、図４及び図５Ｃに示すように、第１の縁部材１２ｂの凸部と、第２の縁部材１２ｃの凸部とがベース本体１２ａの周縁に沿って交互に位置することで、毛量バランスのばらつきを軽減することができる。
【００６５】
このように第１の縁部材１２ｂと第２の縁部材１２ｃとを、図５Ｂに示す「疎」と「密」とを互いに補うように配置するのは、上述の第１の実施の形態についても同様の手法を採用することができる。すなわち、図１に示す第２の縁部材２ｃに植毛される毛髪３の量を、第１の縁部材２ｂの「疎」に対応する部分に多くし、第２の縁部材２ｃの「密」に対応する部分に少なくすることで、毛量バランスのばらつきを軽減することができる。
【００６６】
また、第１の縁部材１２ｂ及び第２の縁部材１２ｃが、ネット状、シート状などの面状を呈する場合には、逆に、凸部側が「密」となり凹部側が「疎」となるが、同様に「密」と「疎」とを互いに補うことで、毛量バランスのばらつきを軽減することができる。
【００６７】
なお、３つ以上の縁部材を配置する場合に、これら縁部材の凸部が順に位置する場合も、第１の縁部材１２ｂ及び第２の縁部材１２ｃに着目すれば、凸部が周縁に沿って交互に位置するといえる。
【００６８】
以上説明した第２の実施の形態のかつら１１及びかつらベース１２によっても、上述の第１の実施の形態のかつら１及びかつらベース２と同様に、第１の縁部材１２ｂ及び第２の縁部材１２ｃが、ベース本体１２ａの周縁のうち互いに同一の領域に沿って設けられ、上記周縁からベース本体１２ａの外側に突出する。また、第１の縁部材１２ｂ及び第２の縁部材１２ｃ（第１の縁部材１２ｂ及び第２の縁部材１２ｃのうちの少なくとも一方の一例）は、上記周縁からベース本体１２ａの外側に凹凸形状に突出する。そのため、本実施の形態によっても、かつらベース１２を視認させにくくすることができるなどの上述の第１の実施の形態の効果を得ることができる。
【００６９】
また、本実施の形態では、第１の縁部材１２ｂ及び第２の縁部材１２ｃの両方が、ベース本体１２ａの周縁からベース本体１２ａの外側に凹凸形状に突出し、第１の縁部材１２ｂの上記周縁から突出する凸部と、第２の縁部材１２ｃの上記周縁から突出する凸部とは、上記周縁に沿って交互に位置する。そのため、上述のように、毛量バランスのばらつきを軽減することができ、したがって、かつらベース１２をより一層視認させにくくすることができる。
＜第３の実施の形態＞
本実施の形態では、第１の縁部材２２ｂ及び第２の縁部材２２ｃの両方が、ベース本体部２２ａの周縁からベース本体２２ａの外側に凹凸形状に突出する点、及び、第２の縁部材２２ｃの周縁から突出するループが、第１の縁部材２２ｂの周縁から突出するループの内側に位置する点において、上述の第１の実施の形態と主に相違する。共通点の説明については省略する。
【００７０】
図６は、本発明の第３の実施の形態に係るかつら２１の一部を模式的に示す斜視図である。
【００７１】
図７は、本実施の形態における第１の縁部材２２ｂ及び第２の縁部材２２ｃを、装着者の頭皮の法線方向から見た図である。
【００７２】
図８Ａ〜図８Ｃは、本実施の形態における第１の縁部材２２ｂ及び第２の縁部材２２ｃを示す説明図である。
【００７３】
図６に示すかつら２１は、かつらベース２２と、毛髪２３とを備える。
【００７４】
かつらベース２２は、ベース本体２２ａと、このベース本体２２ａに取り付けられた第１の縁部材２２ｂ及び第２の縁部材２２ｃと、を含む。
【００７５】
第１の縁部材２２ｂ及び第２の縁部材２２ｃの両方は、ベース本体２２ａの周縁からベース本体２２ａの外側に凹凸形状に突出する。この凹凸形状は、線状部材のループが周縁に沿って複数設けられることで形成される。
【００７６】
第１の縁部材２２ｂ及び第２の縁部材２２ｃは、ループが周縁に沿って連続して設けられ、ベース本体２２ａの周縁からＶ字状又はＵ字状に突出する。
【００７７】
第２の縁部材２２ｃの周縁から突出するループは、第１の縁部材２２ｂの周縁から突出するループの内側に位置する。なお、ループの内側に位置する状態とは、装着者の頭皮の法線方向から見て（図７参照）、一方のループが他方のループの中に位置している状態をいい、両方のループが同一平面上に位置しなくともよい。また、上記法線方向から見て、ループの固定端部分が互いに重なって位置していても、一方のループの半分以上が他方のループの内側に位置していれば、一方のループが他方のループの内側に位置するということとする。
【００７８】
第１の縁部材２２ｂ及び第２の縁部材２２ｃは、突出方向の先端部分と、反対側の他端部分とをギザギザに往復する線状部材により構成されている。なお、本実施の形態の第１の縁部材２２ｂ及び第２の縁部材２２ｃの上記ループは、ベース本体２２ａからの突出部分である。
【００７９】
そのため、第２の縁部材２２ｃに植毛された毛髪２３は、図７に示すように第１の縁部材１２ｂを直接的に押さえつけることが可能である（図７の破線の円部分参照）。或いは、第２の縁部材２２ｃに植毛された毛髪２３は、図８Ａに示す平常時の第１の縁部材２２ｂが、図８Ｂに示すようにめくれ上がった場合に第１の縁部材２２ｂに植毛された毛髪２３を押さえつけることで、第１の縁部材２２ｂを図８Ｃに示す平常時の位置に戻す。
【００８０】
このように、第２の縁部材２２ｃに植毛された毛髪２３は、第１の縁部材２２ｂ又はこの第１の縁部材２２ｂに植毛された毛髪２３を押さえつけることで、第１の縁部材２２ｂの反り返りを防止する。
【００８１】
以上説明した第３の実施の形態のかつら２１及びかつらベース２２によっても、上述の第１の実施の形態のかつら１及びかつらベース２と同様に、第１の縁部材２２ｂ及び第２の縁部材２２ｃが、ベース本体２２ａの周縁のうち互いに同一の領域に沿って設けられ、上記周縁からベース本体２２ａの外側に突出する。また、第１の縁部材２２ｂ及び第２の縁部材２２ｃ（第１の縁部材２２ｂ及び第２の縁部材２２ｃのうちの少なくとも一方の一例）は、上記周縁からベース本体２２ａの外側に凹凸形状に突出する。そのため、本実施の形態によっても、かつらベース２２を視認させにくくすることができるなどの上述の第１の実施の形態の効果を得ることができる。
【００８２】
また、本実施の形態では、第１の縁部材２２ｂ及び第２の縁部材２２ｃの両方が、ベース本体２２ａの周縁からベース本体２２ａの外側に凹凸形状に突出し、第２の縁部材２２ｃの上記周縁から突出するループ（一方のループの一例）は、第１の縁部材２２ｂの上記周縁から突出するループ（他方のループの一例）の内側に位置する。このように第２の縁部材２２ｃが第１の縁部材２２ｂを直接的に押さえつけなくとも、上述のように、第２の縁部材２２ｃに植毛された毛髪２３が、第１の縁部材２２ｂ又はこの第１の縁部材２２ｂに植毛された毛髪２３を押さえつけることで、第１の縁部材２２ｂの反り返りを防止することができる。したがって、より一層、かつらベース２２の第１の縁部材２２ｂ及び第２の縁部材２２ｃ（凹凸形状の周縁部分の一例）のめくれ上がりを防止することができる。
【００８３】
なお、本実施の形態では、第１の縁部材２２ｂ及び第２の縁部材２２ｃのうちの一方のループが他方のループの内側に位置するが、外側のループの内側に位置するループに代えて、外側のループの内側に凸部が位置するように凹凸形状が形成されたネット状、シート状などの面状の縁部材を配置してもよい。
【００８４】
また、本実施の形態では、第１の縁部材２２ｂ及び第２の縁部材２２ｃが互いに被さらないように位置するが、このように互いに被さらない関係の例としては、第１の縁部材２２ｂの凸部と第２の縁部材２２ｃの凸部とが互いに間隔を隔てて位置する場合などが挙げられる。
【符号の説明】
【００８５】
１        ：かつら
２        ：かつらベース
２ａ      ：ベース本体
２ｂ      ：第１の縁部材
２ｃ      ：第２の縁部材
２ｄ      ：第１の止着部
２ｅ      ：第２の止着部
２ｆ      ：第３の縁部材
３        ：毛髪
１１      ：かつら
１２      ：かつらベース
１２ａ    ：ベース本体
１２ｂ    ：第１の縁部材
１２ｃ    ：第２の縁部材
１３      ：毛髪
２１      ：かつら
２２      ：かつらベース
２２ａ    ：ベース本体
２２ｂ    ：第１の縁部材
２２ｃ    ：第２の縁部材
２３      ：毛髪
４１      ：かつら
４２      ：かつらベース
４２ａ    ：ベース本体
４２ｂ    ：縁部材
４３      ：毛髪
【図１】
2014001481.tif 000003
【図２】
2014001481.tif 000004
【図３】
2014001481.tif 000005
【図４】
2014001481.tif 000006
【図５Ａ】
2014001481.tif 000007
【図５Ｂ】
2014001481.tif 000008
【図５Ｃ】
2014001481.tif 000009
【図６】
2014001481.tif 000010
【図７】
2014001481.tif 000011
【図８Ａ】
2014001481.tif 000012
【図８Ｂ】
2014001481.tif 000013
【図８Ｃ】
2014001481.tif 000014
【図９Ａ】
2014001481.tif 000015
【図９Ｂ】
2014001481.tif 000016